(57)【要約】【課題】超音波診断用ジェルが注出口の閉塞時に漏れ出るのを回避しつつ衛生的に収容できると共に、注出口の開閉作業をスムーズに行うことのできる超音波診断ジェル用容器を提供する。【解決手段】超音波診断ジェル用容器１０は、押圧変形可能な胴部１３を有する容器本体１１と、これの口首部１２の上端開口２５と連通するノズル部１４を備える本体キャップ１５と、本体キャップ１５に着脱可能に装着されるオーバーキャップ１６とからなり、本体キャップ１５は、ノズル部１４の先端注出口１７にスリット弁１８を有すると共に、その肩部１９がテーパー面となっている。またオーバーキャップ１６は、ノズル部１４の外周面に係止される内側筒体２０と、肩部１９のテーパー面の上方に下端開口の縁部２３が配置されて、外側からの押圧変形によってテーパー面に沿って乗り上がる外側筒体２１とを有している。【選択図】      図１
2004189335.tif 000002
【特許請求の範囲】
【請求項１】
生体に超音波を発信し、返ってくる反射波を受波して画像を得ることにより診断する超音波診断において用いられ、生体に塗布される粘度が２００００〜１２００００ｍＰａ・ｓの超音波診断用ジェルを収容する超音波診断ジェル用容器であって、
樹脂弾性率が４００〜１０００ＭＰａの樹脂を用いて形成され、押圧変形可能な胴部を有する容器本体と、該容器本体の口首部に着脱可能に装着固定され、該口首部の上端開口と連通するノズル部を備える本体キャップと、該本体キャップのノズル部の外周面に係止されて着脱可能に装着されるオーバーキャップとからなり、
前記本体キャップは、前記ノズル部の先端注出口にスリット弁を有すると共に、その肩部がノズル部から外側に向けて下方に傾斜するテーパー面となっており、
前記オーバーキャップは、下端開口の縁部を変形させてノズル部の外周面に着脱可能に係止される内側筒体と、前記本体キャップへの装着時に前記肩部のテーパー面の上方に下端開口の縁部が配置されて、該縁部が外側からの押圧変形によって前記肩部のテーパー面に沿って乗り上がる外側筒体とを有しており、
且つ前記オーバーキャップは、その天面部に面接触、線接触、又は点接触による平坦な面への接触部を備えており、該接触部の接触径が、前記容器本体の最大径の０．６〜１．４倍である超音波診断ジェル用容器。
【請求項２】
前記本体キャップの肩部のテーパー面の傾斜角度が２５±１０度である請求項１記載の超音波診断ジェル用容器。
【請求項３】
前記オーバーキャップの内側筒体には、これの下端開口の縁部から上方に延設される拡径スリットが設けられている請求項１又は２に記載の超音波診断ジェル用容器。
【発明の詳細な説明】
【０００１】
【発明の属する技術分野】
本発明は、生体に超音波を発信し、返ってくる反射波を受波して画像を得ることにより診断する超音波診断において用いられ、生体に塗布されるジェル内容物を収容する超音波診断ジェル用容器に関する。
【０００２】
【従来の技術】
超音波診断は、被験者（生体）の体表面に超音波プローブと呼ばれる器具を当てるだけの簡単な操作によって、心臓の脈動や胎児の動き等を開示する超音波画像をリアルタイムで表示して診断を下す診断方法であり、取扱う物理量が音波であることから、高い安全性が得られると共に、検査の繰り返しが容易であり、またＸ線、ＣＴ、ＭＲＩなど他の診断方法と比較して使用するシステムの規模が小さく、ベッドサイド等に移動した検査も容易に行うことができる等の利点を有している。
【０００３】
このような超音波診断は、診断する臓器等の断面を走査しながら探索して超音波画像を撮影し、適切な診断画像を得るものであるため、専門の医師等によって行われる場合が多い。また、超音波プローブは、患者である被検者の体内に撮影用の超音波を照射して、被検者から反射波を受波するための探触子（プローブ）であり、圧電素子等によって構成されている。そして、超音波診断を行う際には、被験者の体表面に超音波プローブを当てるのに先立って、超音波プローブと被検者との音響的整合性を良くするために、音響ジェルとして体表面に超音波診断用ジェルが塗布されることになり、このような超音波診断用ジェルの塗布作業は、例えば医師等の診断を補佐する看護士等によって行われる。
【０００４】
超音波診断用ジェルを収容すると共に、収容したジェルを取り出しつつ被験者の体表面への塗布作業をスムーズに行うことを可能にする容器としては、スクイズ性を利用して内容液を注出する合成樹脂製の注出容器が一般に用いられている（例えば、特許文献１、特許文献２参照）。特許文献１、特許文献２に記載の注出容器は、中栓体に対するツイスト開閉キャップ体の螺合を利用した昇降変位によって、キャップ体の注出口を開閉するものであって、キャップ体の回転操作によって注出口を開閉しつつ、スクイズ変形可能（押圧変形可能）な容器本体の胴部を、把持した指先で押圧することにより、当該胴部をスクイズ変形させて内容物を注出させるものである。
【０００５】
【特許文献１】
特開２０００−４３９０９号公報（図１〜図３）
【特許文献２】
特開２０００−２４７３２５号公報（図１〜図３）
【０００６】
【発明が解決使用とする課題】
超音波診断用ジェルを特許文献１或いは特許文献２に記載のツイスト開閉キャップ体による注出容器に収容して用いる場合、超音波診断時に被験者の体表面に塗布して用いられる高粘度の超音波診断用ジェルの特性を鑑みると、必ずしも衛生的、且つ取り扱い性に優れる容器とは言い難かった。すなわち、超音波診断用ジェルは粘度が２００００〜１２００００ｍＰａ・ｓの高粘度のジェルであるため、ツイスト開閉キャップ体による従来の注出容器では、ツイスト開閉キャップ体の閉塞時に、キャップ体の開閉先端部にジェル内容物が充満している状態でキャップ体を閉める動作を行うことになることから、先端の注出口から内容物が漏れ出ながら閉まる状態となって、キャップ体を閉塞する度に少量のジェル内容物がキャップ体の外に排出されて不衛生な状態となりやすい。
【０００７】
また、キャップ体の閉塞時に注出口から漏れ出たジェル内容物は、作業中にツイスト開閉キャップ体のツイスト部の外側に付着することになり、当該ツイスト部は容器本体と比較してその径や大きさが小さいこともあって、開閉時にツイスト部が滑り易くなって開閉作業を行い難くなる。
【０００８】
さらに、超音波診断時における被験者への塗布作業中においては、例えば収容した超音波診断用ジェルを体温に相当する温度に暖めたり保温しておく場合や、ジェル内容物を注出口の付近に移動させておいて注出作業を速やかに行えるようにしておく場合には、超音波診断用ジェルを収容した容器を倒立させた状態で置いておくことが好ましいことがあるが、ツイスト開閉キャップ体による従来の注出容器では、安定した倒立状態で置いておくことが困難である。
【０００９】
本発明は、粘度が２００００〜１２００００ｍＰａ・ｓの超音波診断用ジェルが注出口の閉塞時に漏れ出るのを回避しつつ衛生的に収容できると共に、注出口の開閉作業をスムーズに行うことができ、且つ倒立させた状態で安定して置いておくことが可能な超音波診断ジェル用容器の提供を目的とする。
【００１０】
【課題を解決するための手段】
本発明は、生体に超音波を発信し、返ってくる反射波を受波して画像を得ることにより診断する超音波診断において用いられ、生体に塗布される粘度が２００００〜１２００００ｍＰａ・ｓの超音波診断用ジェルを収容する超音波診断ジェル用容器であって、樹脂弾性率が４００〜１０００ＭＰａの樹脂を用いて形成され、押圧変形可能な胴部を有する容器本体と、該容器本体の口首部に着脱可能に装着固定され、該口首部の上端開口と連通するノズル部を備える本体キャップと、該本体キャップのノズル部の外周面に係止されて着脱可能に装着されるオーバーキャップとからなり、前記本体キャップは、前記ノズル部の先端注出口にスリット弁を有すると共に、その肩部がノズル部から外側に向けて下方に傾斜するテーパー面となっており、前記オーバーキャップは、下端開口の縁部を変形させてノズル部の外周面に着脱可能に係止される内側筒体と、前記本体キャップへの装着時に前記肩部のテーパー面の上方に下端開口の縁部が配置されて、該縁部が外側からの押圧変形によって前記肩部のテーパー面に沿って乗り上がる外側筒体とを有しており、且つ前記オーバーキャップは、その天面部に面接触、線接触、又は点接触による平坦な面への接触部を備えており、該接触部の接触径が、前記容器本体の最大径の０．６〜１．４倍である超音波診断ジェル用容器を提供することにより、上記目的を達成したものである。
【００１１】
ここで、天面部に設けられた面接触、線接触、又は点接触による平坦な面への接触部の接触径は、当該面接触部分、線接触部分、又は点接触部分の最外周部を結んだ外郭線によって囲まれる領域の径であって、当該領域が円形の領域の場合はその直径を、当該領域が円形以外の形状の領域となる場合には、当該形状の断面二次半径の２倍を意味するものである。また、容器本体の最大径は、当該容器本体が円形断面を有する場合にはその最大の直径を、円形以外の断面形状を有する場合には、当該断面形状の最大の断面二次半径の２倍を意味するものである。
【００１２】
【発明の実施の形態】
図１に示す本発明の好ましい一実施形態に係る超音波診断ジェル用容器１０は、生体（被験者）に超音波を発信し、返ってくる反射波を受波して画像を得ることにより診断する超音波診断において、生体に塗布されるジェル内容物として、超音波プローブと生体との音響的整合性を良くするための音響ジェルである超音波診断用ジェルを収容して、当該超音波診断用ジェルを注出しつつ塗布する作業を衛生的且つ効率良く行えるようにすることを目的として採用されたものである。
【００１３】
すなわち、本実施形態の超音波診断ジェル用容器１０は、超音波診断において用いられ、生体に塗布される粘度が２００００〜１２００００ｍＰａ・ｓの超音波診断用ジェルを収容するジェル用容器であって、樹脂弾性率（曲げ弾性率（ＪＩＳ  Ｋ  ７１０６）、片持ちばりによるプラスチックの曲げこわさ試験法に従って測定された樹脂弾性率）が４００〜１０００ＭＰａの樹脂を用いて形成され、押圧変形可能（スクイズ変形可能）な胴部１３を有する容器本体１１と、この容器本体１１の口首部１２に着脱可能に装着固定され、この口首部１２の上端開口２５と連通するノズル部１４を備える本体キャップ１５と、この本体キャップ１５のノズル部１４の外周面に係止されて着脱可能に装着されるオーバーキャップ１６とによって構成されている。
【００１４】
また、本実施形態によれば、本体キャップ１５は、ノズル部１４の先端注出口１７にスリット弁１８（図３、図４参照）を有すると共に、その肩部１９がノズル部１４から外側に向けて下方に傾斜するテーパー面となっている。またオーバーキャップ１６は、下端開口の縁部２２（図５参照）を変形させてノズル部１４の外周面に着脱可能に係止される内側筒体２０と、本体キャップ１５への装着時に肩部１９のテーパー面の上方に下端開口の縁部２３が配置されて、この縁部２３が外側からの押圧変形によって肩部１９のテーパー面に沿って乗り上がる外側筒体２１とを有している。さらに、オーバーキャップ１６は、その天面部２４に面接触による平坦な面への接触部２６を備えており、この接触部２６の接触径が、容器本体１１の最大径の約０．８倍となっている。
【００１５】
本実施形態の超音波診断ジェル用容器１０を構成する容器本体１１は、図２に示すように、樹脂弾性率が４００〜１０００ＭＰａの樹脂として、例えば中密度ポリエチレンを用いてダイレクトブロー成形により得られた直径５０ｍｍ程度の円形断面を有する縦長有底円筒形状のボトル状の樹脂容器である。また容器本体１１は、その胴部１３を指で押圧することにより、当該胴部１３を容易に弾性変形させて、収容したジェル内容物を口首部１２の上端開口２５から押し出すことが可能なスクイズ容器としての機能を備えている。さらに、容器本体１１の上端部には、胴部１３から縮径した状態で上方に突出する口首部１２が一体成形されており、この口首部１２の外周面に形成された雄ネジ突条２７を介して、本体キャップ１５が口首部１２に取り外し可能に螺合装着されることになる。
【００１６】
なお、容器本体１１の内部には、口首部１２の上端開口２５から注入されて、超音波診断用ジェルが収容されると共に、使用により減少した超音波診断用ジェルは、本体キャップ１５を取り外すことにより、適宜詰め替えたり補充したりすることができるようになっている。また、容器本体１１の内部に収容される超音波診断用ジェルとしては、超音波診断において用いられる音響ジェルとして従来より公知の、粘度が２００００〜１２００００ｍＰａ・ｓの各種の超音波診断用ジェルを使用することができる。
【００１７】
本実施形態の超音波診断ジェル用容器１０を構成する本体キャップ１５は、図３に示すように、例えばＰＰ（ポリプロピレン）樹脂を用いて射出成形により形成されたキャップ部材であって、内周面に雌ネジ突条２８が形成されたスカート状装着部２９と、このスカート状装着部２９の上端周縁部からマウンド状に盛り上がって上面が滑らかなテーパー面となった肩部１９と、この肩部１９の中央から上方に突出するノズル部１４とからなり、ノズル部１４の周囲の肩部１９が、水平方向に対して例えば２５±１０度の傾斜角度θで下方に傾斜するテーパー面となっている。なお、肩部１９の傾斜角度θを２５±１０度とすることにより、下端開口の縁部２３を外側から挟み込むように押圧変形させつつ当該縁部２３を肩部１９のテーパー面に沿ってスムーズに乗り上げさせて、オーバーキャップ１６を本体キャップ１５に対して相対的に上方に上昇移動させる操作を容易に行うことが可能になる。
【００１８】
本体キャップ１５のノズル部１４は、円筒形状の基端ノズル部３０と、基端ノズル部３０の上方に連続配置される当該基端ノズル部３０よりも縮径された円筒形状の上方ノズル部３１とからなり、これらの中空内部を経て、ノズル部１４の先端注出口１７が容器本体１１の上端開口２５と連通することになる。また、基端ノズル部３０の外周面に沿って円環状の本体キャップ側係止突条３２が設けられており、この係止突条３２にオーバーキャップ１６の内側筒体２０の下端部分を係止することによって、オーバーキャップ１６は、本体キャップ１５の肩部１９を覆うようにして当該本体キャップ１５の上半部分に装着されることになる。
【００１９】
さらに、本実施形態によれば、基端ノズル部３０の上端部内周面には、当該内周面に沿って止めリング係止溝３３が円環状に設けられており、この止めリング係止溝３３にスリット弁止めリング３４（図４（ｂ）参照）を係止することにより、当該スリット弁止めリング３４に支持させて、好ましくはシリコン弁からなるスリット弁１８が、ノズル部１４の先端注出口１７に装着設置されることになる。
【００２０】
ここで、スリット弁１８は、図４（ａ）に示すように、山高帽子形状の天面部３５の全体を球面凹状に下方に窪ませると共に、窪ませた天面部３５の中央部分に、例えば十字形状に開閉スリット３６を切り込んで形成されるものである。スリット弁１８は、そのツバ部３７を、ノズル部１４の中空内部において、基端ノズル部３０及び上方ノズル部３１の段差部分との間に挟み込むようにしつつ、スリット弁止めリング３４によって下方から支持してノズル部１４の先端注出口１７に装着設置されることになる。
【００２１】
そして、容器本体１１の胴部１３を押圧して内部に収容された超音波診断用ジェルを先端注出口１７から注出する際に、スリット弁１８は、注出圧力によって球面凹状の天面部３５をその弾性変形により押し出されるようにして上方に突出させると共に、開閉スリット３６を開かせて超音波診断用ジェルを注出させることになる。一方、超音波診断用ジェルの注出を止めるべく胴部１３の押圧を解除すれば、スリット弁１８は、その弾性復元力により開閉スリット３６を閉じつつ速やかに天面部３５を下方に窪ませた状態に復帰し、これによって先端注出口１７の閉塞時に超音波診断用ジェルが漏れ出るのを効果的に回避して、超音波診断ジェル用容器１０を衛生的に使用することを可能にする。
【００２２】
本実施形態の超音波診断ジェル用容器１０を構成するオーバーキャップ１６は、図５に示すように、例えばＰＰ（ポリプロピレン）樹脂を用いて射出成形により形成されたキャップ部材であって、円形平板形状の天面部２４と、この天面部２４の周縁部から下方に折れ曲がるようにして垂設される円筒形状の外側筒体２１と、天面部２４の下面から外側筒体２１の内側にこれと同心状に垂設される円筒形状の内側筒体２０とからなる。
【００２３】
天面部２４は、周縁部分の湾曲する面取り部３８及び中央部分の球面凹状の窪み部３９を除いて、その上面の略全体が、面接触による平坦な面への接触部２６を形成している。また接触部２６の接触径Ｌが約３８ｍｍとなっていることから、当該接触径Ｌは、直径が約５０ｍｍである容器本体１１の最大径の約０．８倍となっている。
【００２４】
本実施形態によれば、接触部２６の接触径Ｌが、容器本体１１の最大径の約０．８倍となっていることにより、超音波診断時における被験者への塗布作業中において、例えば収容した超音波診断用ジェルを体温に相当する温度に暖めたり保温しておくために、例えば図６に示すような中空円筒形状の専用のジェルウォーマー４０に上下逆さにして入れておく場合や、超音波診断用ジェルを先端注出口１７の付近に移動させておいて注出作業を速やかに行えるようにしておく場合等において、容器１０を倒立させた状態で置いておく際に、安定した倒立状態で超音波診断ジェル用容器１０を置いておくことが可能になる。
【００２５】
なお、接触部２６の接触径Ｌは、容器本体１１の最大径の０．６〜１．４倍とする必要がある。接触径Ｌを容器本体１１の最大径の０．６〜１．４倍とすることにより、内容物が入っている状態でも、安定した倒立状態で超音波診断ジェル用容器１０を置いておくことが可能になり、これによって転倒し難く使い易い容器を形成することになる。
【００２６】
また、天面部２４の中央部分に設けられた球面凹状の窪み部３９は、オーバーキャップ１６が本体キャップ１５に装着された際に、先端注出口１７に取り付けられたスリット弁１８の球面凹状の天面部３５に密着するように配置され、これによって、未使用時における超音波診断用ジェルの先端注出口１７からの漏出をさらに確実に防止することが可能になる。
【００２７】
外側筒体２１は、円形平板形状の天面部２４の周縁部から例えば１８ｍｍ程度の高さで下方に垂設されることにより、オーバーキャップ１６が本体キャップ１５に装着された際に、その下端開口の縁部２３が、テーパー面となった本体キャップ１５の肩部１９の周縁部分の上方に配置されることになる。また外側筒体２１の下端開口の縁部２３は、外側からの押圧によって円形の開口形状を楕円形状に押し潰すようにしつつ容易に変形させることができる程度の弾性を備えることになる。
【００２８】
したがって、下端開口の縁部２３を外側から挟み込みむように押圧変形させることにより、当該縁部２３を肩部１９のテーパー面に沿って乗り上げさせて、オーバーキャップ１６を本体キャップ１５に対して相対的に上方に上昇移動させることが可能になる。これによって、後述する本体キャップ１５のノズル部１４に対する内側筒体２０の係止状態をワンタッチの操作で解除させて、本体キャップ１５に装着されたオーバーキャップ１６を容易に取り外すことができるようになっている。なお、本実施形態によれば、下端開口の縁部２３の下端面は、本体キャップ１５の肩部１９のテーパー面に沿うように斜めに切り欠かれており、これによって下端開口の縁部２３の押圧変形によるテーパー面への乗り上げを、さらにスムーズに行わせることができるようになっている。
【００２９】
内側筒体２１は、円形平板形状の天面部２４の中央部分か下方に垂設されると共に、本体キャップ１５の基端ノズル部３０の外径と略同様の内径を備えている。また、内側筒体２１の下端開口の縁部２２は、外側に僅かに拡径可能な弾性を備えていると共に、その内周面には周方向に延設されるオーバーキャップ側係止突条４１が設けられており、オーバーキャップ１６を本体キャップ１５に装着する際に、天面部２４からの僅かな押圧力により、下端開口の縁部２２を拡径変形させつつ、本体キャップ側係止突条３２に対してオーバーキャップ側係止突条４１を乗り越えさせて係止させることにより、ワンタッチの操作で容易にオーバーキャップ１６を装着することができるようになっている。
【００３０】
また、オーバーキャップ１６を本体キャップ１５から取り外す際には、上述のように外側筒体２１の下端開口の縁部２３を外側から押圧変形させれば、当該縁部２３が肩部１９のテーパー面に沿って乗り上がることによりオーバーキャップ１６が上昇移動するので、オーバーキャップ側係止突条４１は本体キャップ側係止突条３２を容易に乗り越えて係止状態が解除されることにより、ワンタッチの操作でオーバーキャップ１６をスムーズに取り外すことが可能になる。
【００３１】
ここで、本実施形態によれば、オーバーキャップ１６の内側筒体２０には、これの下端開口の縁部２３から上方に延設される拡径スリット４２が複数平行に切り込み形成されており、これによって、オーバーキャップ側係止突条４１が本体キャップ側係止突条３２を乗り越える際の下端開口の縁部２２の拡径変形を、さらにスムーズに行わせることができるようになっている。
【００３２】
そして、本実施形態の超音波診断ジェル用容器１０によれば、粘度が２００００〜１２００００ｍＰａ・ｓの超音波診断用ジェルが注出口の閉塞時に漏れ出るのを回避しつつ衛生的に収容できると共に、注出口の開閉作業をスムーズに行うことができ、且つ倒立させた状態で安定して置いておくことが可能になる。すなわち、本実施形態の超音波診断ジェル用容器１０によれば、本体キャップ１５は、ノズル部１４の先端注出口１７にスリット弁１８を備えているので、超音波診断用ジェルが先端注出口１７の閉塞時に漏れ出るのを効果的に回避でき、またオーバーキャップ１６は、ノズル部１４の外周面に着脱可能に係止される内側筒体２０と、下端開口の縁部２３が外側からの押圧変形によって肩部１９のテーパー面に沿って乗り上がる外側筒体２１とを有しているので、ワンタッチの操作で先端注出口１７の開閉作業を行うことができ、さらに天面部２４の接触部２６の接触径が、容器本体１１の最大径の約０．８倍となっているので、安定した倒立状態で置いておくことが可能になる。
【００３３】
したがって、本実施形態の超音波診断ジェル用容器１０を用いることにより、超音波診断用ジェルを生体に塗布しつつ行う超音波診断を効率良く行うことが可能になる。
【００３４】
なお、本発明は上記実施形態に限定されることなく種々の変更が可能である。例えば、容器本体は、円形断面を有するものである必要は必ずしもなく、角形断面を有するものであっても良い。また、オーバーキャップの天面部に設けられた平坦な面への接触部は、面接触によるものである必要は必ずしもなく、線接触や点接触による接触部であっても良い。
【００３５】
【発明の効果】
本発明の超音波診断ジェル用容器によれば、粘度が２００００〜１２００００ｍＰａ・ｓの超音波診断用ジェルが注出口の閉塞時に漏れ出るのを回避しつつ衛生的に収容できると共に、注出口の開閉作業をスムーズに行うことができ、且つ倒立させた状態で安定して置いておくことができる。
【図面の簡単な説明】
【図１】本発明の一実施形態に係る超音波診断ジェル用容器の構成を説明する、要部の右半部分を断面で示す正面図である。
【図２】容器本体を示す正面図である。
【図３】本体キャップの構成を説明する右半部分を断面で示す正面図である。
【図４】（ａ）はスリット弁の構成を説明する右半部分を断面で示す正面図、（ｂ）はスリット弁止めリングの右半部分を断面で示す正面図である。
【図５】オーバーキャップの構成を説明する右半部分を断面で示す正面図である。
【図６】ジェルウォーマーに超音波診断ジェル用容器を入れた状態の説明図である。
【符号の説明】
１０  超音波診断ジェル用容器
１１  容器本体
１２  容器本体の口首部
１３  容器本体の胴部
１４  ノズル部
１５  本体キャップ
１６  オーバーキャップ
１７  ノズル部の先端注出口
１８  スリット弁
１９  本体キャップの肩部
２０  内側筒体
２１  外側筒体
２２  内側筒体の下端開口の縁部
２３  外側筒体の下端開口の縁部
２４  オーバーキャップの天面部
２５  容器本体の口首部の上端開口
２６  接触部
３２  本体キャップ側係止突条
３４  スリット弁止めリング
３６  開閉スリット
４１  オーバーキャップ側係止突条
４２  拡径スリット
Ｌ    接触径
【図１】
2004189335.tif 000003
【図２】
2004189335.tif 000004
【図３】
2004189335.tif 000005
【図４】
2004189335.tif 000006
【図５】
2004189335.tif 000007
【図６】
2004189335.tif 000008